(57)【要約】【課題】  装置本体から取り外し可能な蓄電式の補助電源部を備えた画像形成装置において、補助電源部あるいはその周囲のメンテナンスを行う際の安全性を向上させること。【解決手段】  リーダ部３００に電源を供給するＤＣ電源部３と、ＤＣ電源部３からの電源供給により充電する補助電源部６と、補助電源部６を支持する外装部７とを画像形成装置に設ける。そして、外装部７が取り外されたことに応じて、補助電源部６からの通電経路を遮断するインターロックスイッチ１０と、を有することを特徴とする画像形成装置を提供する。【選択図】  図１
2007147755.tif 000002
【特許請求の範囲】
【請求項１】
原稿の画像を読み取る画像読取装置と接続され、該画像読取装置で読み取った画像をシート上に形成する画像形成装置において、
前記画像読取装置に電源を供給するＤＣ電源部と、
前記ＤＣ電源部からの電源供給により充電する補助電源部と、
前記補助電源部を支持する外装部と、
前記外装部が取り外されたことに応じて、前記補助電源部からの通電経路を遮断する遮断部と、
を有することを特徴とする画像形成装置。
【請求項２】
前記補助電源部は、電気二重層キャパシタであることを特徴とする請求項１記載の画像形成装置。
【請求項３】
前記補助電源部の出力と前記ＤＣ電源部の出力をＤＣＤＣコンバータに切り換え入力し、前記ＤＣ電源部の出力時は前記補助電源部を充電可能にするスイッチ部を有することを特徴とする請求項１記載の画像形成装置。
【請求項４】
前記遮断手段は、前記補助電源部からの通電経路をインターロックスイッチにより遮断することを特徴とする請求項１記載の画像形成装置。
【請求項５】
前記補助電源部を装置本体に接続する接続部を有し、
前記補助電源部は、装置本体に対して着脱可能であることを特徴とする請求項１記載の画像形成装置。
【請求項６】
前記補助電源部を装置本体から取り外したことに応じて、前記補助電源部の前記接続部をカバーで覆うことを特徴とする請求項５記載の画像形成装置。
【請求項７】
前記補助電源部を装置本体から取り外したことに応じて、前記補助電源部と前記接続部との間の通電経路を遮断し、前記接続部の端子に電圧がかからない構成にしたことを特徴とする請求項５記載の画像形成装置。
【発明の詳細な説明】
【技術分野】
【０００１】
本発明は、シートに画像を形成する画像形成装置に関し、特に、装置本体から取り外し可能な蓄電式の補助電源部を備えた画像形成装置に関する。
【背景技術】
【０００２】
従来、電子写真方式の複写機に代表される画像形成装置において、複写スピードの増加に対応する為、また自動原稿送り装置、仕分け装置等のアプリケーションを含めた複写システムの多機能化等により、複写機の稼動時に消費する電力が増加する傾向にある。
【０００３】
そのような状況の中で、複写機の定格電力を法的に定められた規定値以内に納める為には、例えば定着器の加熱手段への供給電力に制限を設けるなどで対応していた。
【０００４】
その一方、複写機の定格電力を規定値以内に納める為の手段として、電気二重層キャパシタ等を用いた補助電源部に装置の余剰電力を蓄電し、電力が必要となる画像形成動作時に放電することで供給電力を補助する系なども提案されている。
【０００５】
このような構成において、補助電源部あるいはその周囲のメンテナンスを行う際の安全対策として、装置の電源スイッチがＯＦＦされた場合に補助電源部からの供給経路を遮断する構成が提案されている（例えば、特許文献１参照。）。
【特許文献１】特開２００４−３０３４３６号公報
【発明の開示】
【発明が解決しようとする課題】
【０００６】
しかしながら、上記の様な構成の場合、不用意に装置本体から補助電源部を取り外したり取り付けたりすると、補助電源部の供給経路は正常に遮断されないため、補助電源部による感電やショート、機器の故障などの不具合が生ずるおそれがある。
【０００７】
そこで、本発明は、不用意に補助電源部を取り外したり取り付けたりしても、補助電源部からの電力供給経路を確実に遮断する構成を提供することを目的とする。
【課題を解決するための手段】
【０００８】
上記目的を達成するため、本発明にかかる画像形成装置は、原稿の画像を読み取る画像読取装置と接続され、該画像読取装置で読み取った画像をシート上に形成する画像形成装置において、前記画像読取装置に電源を供給するＤＣ電源部と、前記ＤＣ電源部からの電源供給により充電する補助電源部と、前記補助電源部を支持する外装部と、前記外装部が取り外されたことに応じて、前記補助電源部からの通電経路を遮断する遮断部と、を有することを特徴とする。
【発明の効果】
【０００９】
本発明によれば、補助電源部を取り外す前に補助電源部からの通電経路を遮断することが可能になり、補助電源部あるいはその周囲のメンテナンスを行う際の安全性が向上する。
【発明を実施するための最良の形態】
【００１０】
以下、本発明に係る画像形成装置を図面に則して更に詳しく説明する。
【実施例１】
【００１１】
以下図面を参照して本発明の実施例を詳細に説明する。なお画像形成動作自体は一般的な電子写真式であるため、一連の複写動作説明は割愛する。
【００１２】
図１には本実施例の画像形成装置（例えば複写機能、プリンタ機能、ＦＡＸ機能を併せ持つ複合機）の概略断面図を示す。本実施例は、上部にリーダ部３００、下部にプリンタ部１００を有する。
【００１３】
１はプリンタ部１００のＤＣ負荷４（モータ、クラッチ等）を制御して画像形成動作を行ったり、リーダ部３００と通信を行ったりする制御部で一般的にＤＣコントローラと呼ばれる。
【００１４】
２は記録紙上に転写されたトナー像を熱で固着させる定着部である。３はＤＣ電源部で、制御部やＤＣ負荷４およびリーダ部３００へ電力を供給する。５はＤＣＤＣコンバータであり、ＤＣ電源部３で供給された電圧をリーダ部３００で必要な電圧に変換している。
【００１５】
６は補助電源部であり、本実施例では電気２重層キャパシタを採用している。７は補助電源部６の取り付けとカバーを兼ねた外装部である。８はプリンタ部１００と補助電源部６との電源供給経路を繋ぐコネクタ部である。９は外装部７の取り付け、取り外しを検出するスイッチ部である。
【００１６】
１０は補助電源部６からの電源供給経路を遮断するためのインターロックスイッチである。１１は、消費電力量に応じてＤＣＤＣコンバータ５へ供給する電源をＤＣ電源部３にするか、補助電源部６にするかを切り換えるためのスイッチである。
【００１７】
図２はインターロックスイッチ近傍の詳細を表す図である。ここでは補助電源部６をプリンタ部１００から取り外す際の動作を説明する。まず外装部７を固定している図示しないビスを取り除き、次いで外装部７を外す。すると外装部７に付けられたピン２０１で押されていたスイッチ９の接点９ａがバネの力で矢印方向に移動し電極９ｂから離れるためスイッチ９が非導通状態なる。するとインターロックスイッチ１０内で接点１０ａを吸引しインターロックスイッチ１０を導通状態に保っているコイル１０ｂがＯＦＦするため接点１０ａが電極１０ｃから離れ、補助電源部６からの供給経路が遮断される。
【００１８】
次に、補助電源部６をプリンタ部１００から分離すると、コネクタ部８がオス部８ｂとメス部８ｃとに分かれる。このときメス部８ｃには保護カバー８ａが付けられており矢印の方向に閉じることで補助電源部６の端子８ｄには触れられなくなり、補助電源部６の残電圧による感電を防ぐことができる。
【実施例２】
【００１９】
インターロックスイッチ１０がプリンタ部１００の外装に近い位置に配置できる場合は図３に示すような構成にしても良い。
【００２０】
図３において、外装部７を取り外すとインターロックスイッチ１０の接点１０ａを押していたピン２０１も取り除かれ接点１０ａが矢印の方向に移動しインターロックスイッチ１０が非導通状態になり、安全に補助電源部６を取り外すことができる。
【実施例３】
【００２１】
図４は、より安全な構成とするため、補助電源部６を取り外した状態では補助電源部６側の端子４０１ｃ、４０１ｄには一切電圧がかからない構成としたものである。
【００２２】
図４において、充電動作時はＡの経路を通ってＤＣ電源部３から補助電源部６に給電され、放電時はＢの経路を通って補助電源部６からＤＣＤＣコンバータ５へ給電される。
【００２３】
実施例１にある手順で外装部７を外してインターロックスイッチ１０が非導通状態になると補助電源部６内部のスイッチ４０２のコイル４０２ｂへの通電が遮断され、接点４０２ａが矢印の方向へ移動し電極４０２ｃから離れスイッチ４０２が非導通状態となる。この状態であれば端子４０１ｃ、４０１ｄには電圧がかからない為安全性が確保される。
【００２４】
逆に、補助電源部６をプリンタ部１００に装着する場合は、コネクタ部４０１の接点４０２ａが電極４０２ｃに先に接触し、次に外装部７のピン２０１がスイッチ９を押すことでインターロックスイッチ１０のコイル１０ｂに電源が供給される。そして、接点１０ａが電極１０ｃに接触してインターロックスイッチ１０が導通状態となる。
【００２５】
すると補助電源部６内のスイッチ４０２のコイル４０２ｂにも通電され、スイッチ４０２が導通状態となり、補助電源部６への充電や補助電源部６の放電動作が可能となる。
【００２６】
以上で説明した実施例１〜３によれば、補助電源部６を取り外す前に補助電源部６からの通電経路を遮断することが可能になり、補助電源部６あるいはその周囲のメンテナンスを行う際の安全性が向上する。
【００２７】
また、補助電源部６で電力を供給する負荷の中で、例えば画像読み取り部の光源駆動用のインバータ回路が含まれている場合、補助電源部近傍のカバーや支持部材の取り外しに連動してインバータ回路の動作を停止させることで、インバータ回路の異常動作などによる感電や故障を防ぐことが可能になる。
【図面の簡単な説明】
【００２８】
【図１】本発明の実施例に係る画像形成装置を示す概略構成図である。
【図２】実施例１におけるインターロックスイッチ周囲の詳細構造を示す図である。
【図３】実施例２におけるインターロックスイッチ周囲の詳細構造を示す図である。
【図４】実施例３におけるインターロックスイッチ周囲の詳細構造を示す図である。
【符号の説明】
【００２９】
１  制御部
３  ＤＣ電源部
５  ＤＣＤＣコンバータ
６  補助電源部
７  外装部
８  コネクタ部
９  スイッチ
１０  インターロックスイッチ
１１  スイッチ
１００  プリンタ部
３００  リーダ部
４０１  インターロックスイッチ
４０２  スイッチ
【図１】
2007147755.tif 000003
【図２】
2007147755.tif 000004
【図３】
2007147755.tif 000005
【図４】
2007147755.tif 000006